(57)【要約】【課題】本発明は、対象者の負担を抑え、簡便に対象者の血清亜鉛値を推定する方法を提供することを課題とする。【解決手段】本発明の課題を解決するための手段は、以下の通りである。１．唾液中の亜鉛値及び／又は気分プロフィール検査値から血清亜鉛値を推定する方法。２．気分プロフィール検査が、ＰＯＭＳ又はＰＯＭＳ２であることを特徴とする、１．に記載の血清亜鉛値を推定する方法。３．１．又は２．に記載の血清亜鉛値を推定する方法を用いて、対象者の血清亜鉛値を推定し、亜鉛の充足状態及び／又は亜鉛の不足量を補うための経口組成物を対象者へ提供するシステム。唾液中の亜鉛値及び／又は気分プロフィール検査値から血清亜鉛値を推定する方法。【選択図】図１
2020193852.tif 000002
【特許請求の範囲】
【請求項１】
唾液中の亜鉛値及び／又は気分プロフィール検査値から血清亜鉛値を推定する方法。
【請求項２】
気分プロフィール検査が、ＰＯＭＳ又はＰＯＭＳ２であることを特徴とする、請求項１に記載の血清亜鉛値を推定する方法。
【請求項３】
請求項１又は２に記載の血清亜鉛値を推定する方法を用いて、対象者の血清亜鉛値を推定し、亜鉛の充足状態及び／又は亜鉛の不足量を補うための経口組成物を対象者へ提供するシステム。
【発明の詳細な説明】
【技術分野】
【０００１】
本発明は、唾液中の亜鉛値及び／又は気分プロフィール検査値から血清亜鉛値を推定する方法に関する。
【背景技術】
【０００２】
亜鉛は、必須な微量元素であり、欠乏すると、発育障害、脱毛、味覚異常、皮膚障害、性機能不全、免疫不全、食欲低下、創傷治癒遅延などの亜鉛欠乏症を発症する。標準体重のヒト体内に、亜鉛は約１．５〜３ｇ存在し、そのほとんどは、タンパク質と結合した状態で、骨格筋、骨、皮膚、肝臓、脳、腎臓、毛髪などに分布している。
【０００３】
わが国において、亜鉛の推奨摂取量や耐用上限量が定められているが、亜鉛の栄養状態、とくに、欠乏状態の特異的な指標がなく、その判断が難しいことが指摘されている。亜鉛の栄養状態の指標として、対象者の血液を採取し、血清亜鉛値を測定する方法が一般的である。しかし、採血は侵襲性を有するため、対象者の負担が大きく、非侵襲的な血清亜鉛値の測定方法が求められている。
【０００４】
非侵襲的に亜鉛の栄養状態を評価する方法のひとつに、尿中への亜鉛排泄量を指標とする方法がある。しかし、健常人において尿中への亜鉛排泄量は約０．５ｍｇ／日と非常に少なく、低アルブミン血症を呈するような疾病を有する対象者においては、血清中の亜鉛の結合様式が変化するため、尿中への亜鉛排泄量が増加してしまい、真の亜鉛欠乏者の栄養状態が、正常と誤診されてしまうというリスクがある。もうひとつに、毛髪中の亜鉛濃度を測定する方法があるが、毛髪は外部からの影響を受けやすく、とくに亜鉛を含む整髪料やシャンプーを使用した場合、毛髪中の亜鉛濃度は顕著に上昇し、その解釈は困難となる。
【０００５】
食事頻度調査結果から血清亜鉛値を推定する方法もあるが、本発明者らは、食事頻度調査結果から推定した亜鉛摂取量と、血清亜鉛値との間には相関がないことをつきとめた。これは、非特許文献１の報告とも合致する。
【０００６】
唾液中の成分から、血清亜鉛値を推定する方法が検討されているが、報告は少ない。
非特許文献２は、味覚障害者１０名と健常者１０名を対象に、唾液中のＴＩＭＰ酵素（亜鉛関連酵素）の活性と血清亜鉛値との間には相関がないことを報告している。
【０００７】
非特許文献３は、唾液を検体として、Ｇｕｓｔｉｎ（亜鉛結合タンパク質）のイムノクロマト測定値と血清亜鉛値との間には、有意な正の相関（Ｒ＝０．３９８、Ｐ＜０．０５）があることを報告している。しかしながら、相関が弱く、血清亜鉛値を推定する方法としては不十分である。
【０００８】
特許文献１は、擦過法により味覚障害者の口腔由来組織を採取し、採取した組織中の味覚受容体遺伝子の発現量と、血清亜鉛値とを関連づけることを特徴とする、亜鉛欠乏性味覚異常の検査方法を提案している。しかし、当該検査方法において、味覚受容体遺伝子の発現量と血清亜鉛値との相関についての開示はなく、血清亜鉛値の推定には用いられていない。
【０００９】
特許文献２は、血液一般検査の項目であるヘモグロビン濃度、ヘマトクリット、アルブミン濃度、総コレステロール濃度、中性脂肪濃度、ナトリウムイオン濃度および塩素イオン濃度の血液検査値を組み合わせて、亜鉛の欠乏状態を推定する装置を提案している。血液一般検査の項目には含まれない血清亜鉛値のために、採血を追加で行う必要がないという点では、対象者の身体的負担を軽減する優れた技術である。しかしながら、この方法は、血液一般検査値が必要であり、対象者が気軽に日常的に亜鉛の欠乏状態をチェックするには敷居が高く、さらに簡便な方法が求められる。
【００１０】
非特許文献４は、亜鉛摂取により、気分プロフィール検査（ＰＯＭＳ）値が改善する可能性があることを報告している。具体的には、１８〜２１歳の４１名の女性を対象に、ビタミンのみを含有するカプセルを摂取する群と、ビタミンと亜鉛を含有するカプセルを摂取する群の２群に分け、１０週間摂取させた結果、ビタミンのみ摂取した群では、摂取前後でＰＯＭＳの結果に変化がなく、ビタミンと亜鉛を摂取した群では、摂取前後を比べると、ＰＯＭＳの「怒り‐敵意（ＡＨ）」、「抑うつ‐落ち込み（Ｄ）」のネガティブな気分に関するスコアが有意（それぞれ、Ｐ＝０．００９、Ｐ＝０．０１２）に改善したという報告である。しかしながら、「怒り‐敵意（ＡＨ）」と「抑うつ‐落ち込み（Ｄ）」において群間での有意差が認められておらず、「混乱（Ｃ）」、「疲労（Ｆ）」、「緊張‐不安（ＴＡ）」の陰性の気分尺度と、「活気（Ｖ）」の陽性の気分尺度においては、摂取前後でも有意差がなく、血清亜鉛値と気分プロフィール検査値との関連性については示されていない。
【先行技術文献】
【特許文献】
【００１１】
【特許文献１】国際公開ＷＯ２００７／０７４９３７号公報
【特許文献２】特許第６４２１３９８号公報
【非特許文献】
【００１２】
【非特許文献１】Ｊａｎｅｔ  Ｃ  ｋｉｎｇ，（２０１８）Ｊ  Ｎｕｔｒ  １４８；１３９９−１４０１
【非特許文献２】日本味と匂学会誌（２０００．１２）Ｖｏｌ．７  Ｎｏ．３；６３９−６４０
【非特許文献３】日本味と匂学会誌（２０１３．１２）Ｖｏｌ．２０  Ｎｏ．３；３４５−３４６
【非特許文献４】Ｓａｗａｄａ  Ｔ（２０１０）Ｅｕｒ  Ｊ  Ｃｌｉｎ  Ｎｕｔｒ．  ２０１０  Ｍａｒ；６４；３３１−３
【発明の概要】
【発明が解決しようとする課題】
【００１３】
本発明は、対象者の負担を抑え、簡便に対象者の血清亜鉛値を推定する方法を提供することを課題とする。
【課題を解決するための手段】
【００１４】
本発明の課題を解決するための手段は、以下の通りである。
１．唾液中の亜鉛値及び／又は気分プロフィール検査値から血清亜鉛値を推定する方法。
２．気分プロフィール検査が、ＰＯＭＳ又はＰＯＭＳ２であることを特徴とする、１．に記載の血清亜鉛値を推定する方法。
３．１．又は２．に記載の血清亜鉛値を推定する方法を用いて、対象者の血清亜鉛値を推定し、亜鉛の充足状態及び／又は亜鉛の不足量を補うための経口組成物を対象者へ提供するシステム。
【発明の効果】
【００１５】
本発明は、唾液中の亜鉛値及び／又は気分プロフィール検査値から血清亜鉛値を推定する方法である。対象者（需要者）は、店頭や自宅で、唾液採取キットなどを用いた簡便な方法で唾液サンプルを採取し、気分プロフィール検査結果とともに郵送することで、自身の血清亜鉛値と亜鉛の充足状態を知ることが可能となる。また、亜鉛が不足している対象者は、日常の食事に加えて亜鉛を効率的に経口摂取することができるサプリメントやドリンク等の経口組成物の提供を受けることができる。さらに、本発明は、採血を要せず対象者の負担が極めて少ないため、対象者が経口組成物を摂取した一定期間後も、気軽に摂取後の経過について再検査することができる。
【図面の簡単な説明】
【００１６】
【図１】血清亜鉛値と唾液亜鉛値の散布図
【図２】血清亜鉛値と気分プロフィール検査値（ＡＨ  Ｔ得点）の散布図
【図３】血清亜鉛値と気分プロフィール検査値（ＣＢ  Ｔ得点）の散布図
【図４】血清亜鉛値と気分プロフィール検査値（ＤＤ  Ｔ得点）の散布図
【図５】血清亜鉛値と気分プロフィール検査値（ＦＩ  Ｔ得点）の散布図
【図６】血清亜鉛値と気分プロフィール検査値（ＴＡ  Ｔ得点）の散布図
【図７】血清亜鉛値と気分プロフィール検査値（ＶＡ  Ｔ得点）の散布図
【図８】血清亜鉛値と気分プロフィール検査値（Ｆ  Ｔ得点）の散布図
【図９】血清亜鉛値と気分プロフィール検査値（ＴＭＤ  Ｔ得点）の散布図
【図１０】血清亜鉛値と重回帰モデル（Ｘ１＝唾液亜鉛値、Ｘ２＝ＡＨ  Ｔ得点）による血清亜鉛推定値の散布図
【図１１】血清亜鉛値と重回帰モデル（Ｘ１＝唾液亜鉛値、Ｘ２＝ＣＢ  Ｔ得点）による血清亜鉛推定値の散布図
【図１２】血清亜鉛値と重回帰モデル（Ｘ１＝唾液亜鉛値、Ｘ２＝ＤＤ  Ｔ得点）による血清亜鉛推定値の散布図
【図１３】血清亜鉛値と重回帰モデル（Ｘ１＝唾液亜鉛値、Ｘ２＝ＦＩ  Ｔ得点）による血清亜鉛推定値の散布図
【図１４】血清亜鉛値と重回帰モデル（Ｘ１＝唾液亜鉛値、Ｘ２＝ＴＡ  Ｔ得点）による血清亜鉛推定値の散布図
【図１５】血清亜鉛値と重回帰モデル（Ｘ１＝唾液亜鉛値、Ｘ２＝ＶＡ  Ｔ得点）による血清亜鉛推定値の散布図
【図１６】血清亜鉛値と重回帰モデル（Ｘ１＝唾液亜鉛値、Ｘ２＝Ｆ  Ｔ得点）による血清亜鉛推定値の散布図
【図１７】血清亜鉛値と重回帰モデル（Ｘ１＝唾液亜鉛値、Ｘ２＝ＴＭＤ  Ｔ得点）による血清亜鉛推定値の散布図
【図１８】血清亜鉛値と重回帰モデル（Ｘ１＝ＡＨ、Ｘ２＝ＣＢ、Ｘ３＝ＤＤ、Ｘ４＝ＦＩ、Ｘ５＝ＴＡ、Ｘ６＝ＶＡ、Ｘ７＝Ｆ  Ｔ得点）による血清亜鉛推定値の散布図
【図１９】血清亜鉛値と重回帰モデル（Ｘ１＝ＡＨ、Ｘ２＝ＣＢ、Ｘ３＝ＤＤ、Ｘ４＝ＦＩ、Ｘ５＝ＴＡ  Ｔ得点）による血清亜鉛推定値の散布図
【図２０】血清亜鉛値と重回帰モデル（Ｘ１＝唾液亜鉛値、Ｘ２＝ＡＨ、Ｘ３＝ＣＢ、Ｘ４＝ＤＤ、Ｘ５＝ＦＩ、Ｘ６＝ＴＡ  Ｔ得点）による血清亜鉛推定値の散布図
【発明を実施するための形態】
【００１７】
以下、本発明について詳細に説明する。
本発明は、唾液中の亜鉛値及び／又は気分プロフィール検査値から血清亜鉛値を推定する方法である。
【００１８】
（気分プロフィール検査）
気分プロフィール検査は、質問用紙を用いて調査時点での気分状態を客観的に数値化する検査方法であり、スポーツ選手のコンディションチェック、職場でのメンタルヘルスチェック、介護や福祉分野での気分チェック、精神障害（うつ病、不安障害など）の治療経過、薬物の精神的ストレスへの治療効果の評価尺度、運動効果やリラクゼーション効果の測定など、様々な分野で国際的に用いられている検査である。なかでも、ＰＯＭＳ（Ｐｒｏｆｉｌｅ ｏｆ Ｍｏｏｄ Ｓｔａｔｅｓ）とＰＯＭＳ２（Ｐｒｏｆｉｌｅ  ｏｆ  Ｍｏｏｄ  Ｓｔａｔｅｓ  ２ｎｄ  Ｅｄｉｔｉｏｎ）は、世界的に信頼された気分プロフィール検査である。ＰＯＭＳ２は、ＭｃＮａｉｒら（１９７１）によって開発されたＰＯＭＳの改訂版である。
【００１９】
ＰＯＭＳは、「怒り‐敵意（Ａｎｇｅｒ−Ｈｏｓｔｉｌｉｔｙ；ＡＨ）」、「混乱（Ｃｏｎｆｕｓｉｏｎ；Ｃ）」、「抑うつ‐落ち込み（Ｄｅｐｒｅｓｓｉｏｎ−Ｄｅｊｅｃｔｉｏｎ；Ｄ）」、「疲労（Ｆａｔｉｇｕｅ；Ｆ）」、及び「緊張‐不安（Ｔｅｎｓｉｏｎ−Ａｎｘｉｅｔｙ；ＴＡ）」の５つの陰性の気分尺度と、「活気（Ｖｉｇｏｒ；Ｖ）」の陽性の気分尺度と、「総合的気分状態（Ｔｏｔａｌ  Ｍｏｏｄ  Ｄｉｓｔｕｒｂａｎｃｅ；ＴＭＤ）」の７つの尺度が数値化される。
ＰＯＭＳ２は、「怒りと敵意（Ａｎｇｅｒ−Ｈｏｓｔｉｌｉｔｙ：ＡＨ）」、「混乱と当惑（Ｃｏｎｆｕｓｉｏｎ−Ｂｅｗｉｌｄｅｒｍｅｎｔ：ＣＢ）」、「抑うつと落ち込み（Ｄｅｐｒｅｓｓｉｏｎ−Ｄｅｊｅｃｔｉｏｎ：ＤＤ）」、「疲労と無気力（Ｆａｔｉｇｕｅ−Ｉｍｐｏｔｅｎｃｅ：ＦＩ）」、及び「緊張と不安（Ｔｅｎｓｉｏｎ−Ａｎｘｉｅｔｙ：ＴＡ）」の５つの陰性の気分尺度と、「活気と活力（Ｖｉｇｏｒ−Ａｃｔｉｏｎ：ＶＡ）」及び「友好（Ｆｒｉｅｎｄｓｈｉｐ：Ｆ）の」の２つの陽性の気分尺度と、「総合的気分状態（Ｔｏｔａｌ  Ｍｏｏｄ  Ｄｉｓｔｕｒｂａｎｃｅ；ＴＭＤ）」の８つの尺度が数値化される。各気分尺度の定義は、マニュアルに記載されている通りである。
【００２０】
気分プロフィール検査は、成人用や青少年用のように対象となる母集団により検査方法が異なるものや、全項目版や短縮版のように検査時の質問項目数が異なるものがあるが、対象の状況に応じて検査方法や質問項目数を適宜選択すればよい。
【００２１】
本発明において、気分プロフィール検査は、ＰＯＭＳ又はＰＯＭＳ２であることが好ましい。ＰＯＭＳ又はＰＯＭＳ２の検査項目は、１項目以上を説明変数として用いることができ、陰性の気分尺度（ＡＨ，ＣＢ，ＤＤ，ＦＩ，ＴＡ）及び総合的気分尺度（ＴＭＤ）から選ばれる１項目以上を説明変数として用いることが好ましい。唾液中の亜鉛値と気分プロフィール検査値を組み合わる場合、ＰＯＭＳ又はＰＯＭＳ２の検査項目は、特に限定されずに使用でき、唾液中の亜鉛値と、ＰＯＭＳ又はＰＯＭＳ２の検査項目から選ばれる１項目以上とを組合せることができる。
【００２２】
亜鉛の充足状態について、「亜鉛欠乏症の診療指針２０１８」（一般社団法人日本臨床栄養学会）には、血清亜鉛値は、早朝空腹時に測定することが望ましく、血清亜鉛値が６０μｇ／ｄＬ未満であれば亜鉛欠乏症、６０〜８０μｇ／ｄＬ未満であれば潜在性亜鉛欠乏症と診断する指針が記載されている。すなわち、血清亜鉛値が８０μｇ／ｄＬ以上であれば充足している状態である可能性が高いといえる。対象者の血清亜鉛値を推定し、亜鉛の充足状態及び／又は亜鉛の不足量を補うための経口組成物を対象者へ提供することができる。
【００２３】
本発明で提供する経口組成物は、医薬品（医薬部外品を含む）や、栄養補助食品、栄養機能食品、特定保健用食品、機能性表示食品、病者用食品等の機能性食品、一般的な食品、食品添加剤として用いることができる。継続的な摂取が行いやすいように、例えば、錠剤、カプセル剤、顆粒剤、散剤、丸剤、チュアブル錠、口腔内崩壊錠、ドリンク剤、ゼリー状の形態を有することが好ましい。棒状、板状、グミ状に加工した食品や、一般的な食品形態に添加したものであってもよい。中でも錠剤、カプセル剤の形態が、摂取の簡便さの点から特に好ましい。このような剤形を有する製剤は、慣用法によって調整することができ、亜鉛の放出性を制御した、速放性、徐放性の製剤であってもよい。
【００２４】
本発明の経口組成物に配合する亜鉛としては、亜鉛を補給するための食品原料として流通しているものであれば特に制限されない。好ましくは、グルコン酸亜鉛、亜鉛酵母、硫酸亜鉛、塩化亜鉛、酸化亜鉛、ステアリン酸亜鉛を挙げることができ、これらの群から選ばれる少なくとも１種又は２種以上を組み合わせたものを使用することができる。
【００２５】
本発明で提供する経口組成物は、亜鉛以外にも、亜鉛の生体利用率を高めるための補助成分を配合することができ、その他にも例えば、ビタミン、ミネラル、アミノ酸、糖、ポリペプチド、魚油といった栄養素を配合することができる。
【実施例】
【００２６】
＜臨床試験方法＞
２０歳以上６０歳未満の男性健常者を被験者として臨床試験を実施した。さらに、以下の除外規準に該当しない１１名を最終解析対象とした。
１）唾液を採取できない者
２）歯周病などの口腔疾患のある者または口腔内に出血のある者
３）糖尿病などの代謝系疾患のある者
４）自己免疫疾患のある者
５）肝疾患のある者
６）重篤な疾患既往がある。または治療をしている者
７）キレート作用のある薬剤を長期服用している者
８）採血が困難な者(健康診断などで採血が難しいと言われたことがある者）
９）試験監修医師または試験担当者が試験対象として不適合と判断した者
本試験は倫理的配慮として、倫理的、科学的及び医学的妥当性の観点からファンケル臨床研究倫理審査委員会に当該試験を行うことの適否についての審査を受け、最新の「ヘルシンキ宣言に基づく倫理原則」及び「人を対象とする医学系試験に関する倫理指針（文部科学省・厚生労働省）」に則り、試験計画書を遵守して実施した。本臨床試験の実施に際しては、事前に被験者全員に試験の主旨を十分に説明したうえで、本人の自由意思で書面による参加の同意を得た。
本試験は、オープン試験として行った。被験者は指定の試験実施施設に集まり、早朝空腹時の血液と唾液を採取した
【００２７】
＜唾液採取＞
ヒトの唾液腺は、耳下腺、舌下腺、顎下腺の３腺があり、各々から分泌される唾液のことを耳下腺唾液、舌下腺唾液、顎下腺唾液と区別されており、前記の唾液が混合されたものを全唾液という。唾液は、全唾液を唾液試料採取用器具（フナコシ社製Ｓａｌｉｖａ  Ｃｏｌｌｅｃｔｉｏｎ  Ａｉｄ；ＳＣＡ）を用いて、ＳＣＡに添付されたマニュアルに記載の方法で採取した。採取した唾液は、３０００Ｇ、２分の条件で遠心分離する事で夾雑物を除去し、測定まで−８０℃で保存した。
【００２８】
＜唾液中の亜鉛値の測定方法＞
唾液中の亜鉛値は、メタロアッセイ亜鉛測定ＬＳキット（メタロジェニクス社製）を用いて測定した。採取した唾液に６Ｍ塩酸を終濃度１％になるように添加し、ボルテックスミキサーを用いて混合後、１０００ｒｐｍ、１０ 分の条件で遠心分離する事で夾雑物を除去し、上澄み液を測定検体とした。検体４０μＬと発色液２００μＬの混合液を９６ウェルマイクロプレート（ＡＧＣテクノグラス社製）に添加し、室温で１０分間インキュベート後にプレートリーダー（日本分光社製）を用いて吸光度を測定した。結果を表１に示す。
【００２９】
＜血清亜鉛値の測定方法＞
血液は肘窩静脈から血清分離剤入り採血管で採取した。採取した血液は、よく混和した後に３０分から１時間静置し血餅を確認後、３０００ｒｐｍ、１０分の条件下で遠心分離することで血清成分を分離した。溶血の有無を目視で確認し、溶血の有無を症例報告書に記載した。分離した血清成分を測定まで−８０℃で保存した。臨床検査受託機関（ＬＳＩメディエンス社）に依頼し、原子吸光法により測定を行い、血清亜鉛値を得た。結果を表１に示す。
【００３０】
＜気分プロフィール検査の方法＞
「ＰＯＭＳ２  成人用短縮版」（金子書房）の検査用紙を用い、日本語マニュアルに従って検査を実施した。これらの合計得点をその日本語マニュアルに従ってＴ得点に変換し、気分プロフィール検査値とした。ＴＭＤは、ＡＨ，ＣＢ，ＤＤ，ＦＩ，ＴＡの陰性の気分尺度の合計点からＶＡの点数を差し引いた値を、同様にＴ得点に変換した。結果を表１に示す。
【表１】
2020193852.tif 000003
【００３１】
（解析方法）
統計解析は、統計処理ソフトＪＭＰ１４（ＳＡＳ  Ｉｎｓｔｉｔｕｔｅ  Ｊａｐａｎ社）を用いて行った。血清亜鉛値と唾液中の亜鉛値との回帰分析により、相関係数Ｒ２と統計値Ｐを得た。結果を図１に示す。血清亜鉛値と気分プロフィール検査値との回帰分析により、同様に、相関係数Ｒ２と統計値Ｐを得た。結果を図２〜９に示す。重回帰モデルは、最少二乗法によって作成した。唾液中の亜鉛値と、気分プロフィール検査値を説明変数とする重回帰モデルの結果を、表２、図１０〜１７に示す。また、説明変数を、ＴＭＤ以外の７項目、陰性気分の尺度５項目（ＡＨ，ＣＢ，ＤＤ，ＦＩ，ＴＡ）、並びに陰性気分の尺度５項目と唾液中の亜鉛値、とした重回帰モデルの結果を表３、図１８〜２０に示す。
【表２】
2020193852.tif 000004
【表３】
2020193852.tif 000005
【００３２】
＜結果＞
（図１；血清亜鉛値と唾液中の亜鉛値との相関について）
血清亜鉛値と唾液中の亜鉛値との間には正の相関があり、Ｒ２＝０．５７３４、Ｐ＝０．００７、近似式「血清亜鉛値（μｇ／ｄＬ）＝３．５８１１×（唾液中の亜鉛値（μｇ／ｄＬ））＋６６．３８７」を得た。
【００３３】
（表１、図２〜９；血清亜鉛値と気分プロフィール検査値との相関について）
血清亜鉛値と気分プロフィール検査値（ＡＨ）との間には負の相関があり、Ｒ２＝０．４６０３、Ｐ＝０．０２１７、近似式「血清亜鉛値（μｇ／ｄＬ）＝−０．８３５９×（ＡＨ）＋１２１．５４」を得た。
血清亜鉛値と気分プロフィール検査値（ＣＢ）との間には負の相関があり、Ｒ２＝０．４３１６、Ｐ＝０．０２８１、近似式「血清亜鉛値（μｇ／ｄＬ）＝−１．４４３４×（ＣＢ）＋１４５．７５」を得た。
血清亜鉛値と気分プロフィール検査値（ＤＤ）との間には負の相関傾向があり、Ｒ２＝０．２９９９、Ｐ＝０．０８１１、近似式「血清亜鉛値（μｇ／ｄＬ）＝−１．１９８９×（ＤＤ）＋１３６．９１」を得た。
血清亜鉛値と気分プロフィール検査値（ＦＩ）との間には負の相関があり、Ｒ２＝０．５４８８、Ｐ＝０．００９１、近似式「血清亜鉛値（μｇ／ｄＬ）＝−１．０４８１×（ＦＩ）＋１２９．３２」を得た。
血清亜鉛値と気分プロフィール検査値（ＴＡ）との間には負の相関傾向があり、Ｒ２＝０．２４３８、Ｐ＝０．１２２６、近似式「血清亜鉛値（μｇ／ｄＬ）＝−０．６７４×（ＴＡ）＋１１２．９」を得た。
血清亜鉛値と気分プロフィール検査値（ＴＭＤ）との間には負の相関があり、Ｒ２＝０．５８７５、Ｐ＝０．００５９、近似式「血清亜鉛値（μｇ／ｄＬ）＝−１．３１７×（ＴＭＤ）＋１４１．０６」を得た。
血清亜鉛値と、気分プロフィール検査値（ＶＡ、Ｆ）との間に相関は認められなかった。
【００３４】
（表２、図１０〜１７；重回帰モデルについて）
唾液中の亜鉛値と、気分プロフィール検査値を説明変数とする血清亜鉛値の推定式を得た（表２）。血清亜鉛値の推定式から算出された血清亜鉛推定値と血清亜鉛値との回帰分析を行った結果、気分プロフィール検査値（ＡＨ，ＣＢ，ＤＤ，ＦＩ，ＴＡ，ＶＡ，Ｆ，ＴＭＤ）の８項目すべてにおいて、高い相関があることが示された（図１０〜１７）。ＡＨ，ＣＢ，ＤＤ，ＦＩ，ＴＡ，ＴＭＤの気分尺度について、血清亜鉛値との相関があったが（図２〜６，９）、唾液中の亜鉛値を説明変数として重回帰モデルを用いることにより、さらに高い相関係数が得られ、高い精度で血清亜鉛値を推定できることが示された（図１０〜１４，１７）。また、ＶＡ，Ｆの気分尺度は、血清亜鉛値と相関が認められなかった（図７，８）が、唾液中の亜鉛値を説明変数として重回帰モデルを用いることにより、血清亜鉛値を推定することが可能となった（図１５，１６）。
【００３５】
（表３、図１８〜２０；重回帰モデルについて）
ＴＭＤ以外の７項目を説明変数とすると、高い精度（Ｒ２＝０．９７６８、Ｐ＝０．０１８６）で血清亜鉛値を推定できることが示された。陰性気分の尺度５項目を説明変数とすると、Ｒ２＝０．８５２４、Ｐ＝０．０３８５となり、ＴＭＤ以外の７項目を説明変数とする場合よりも精度は落ちるが、陰性気分の尺度５項目に、唾液中の亜鉛値を説明変数として加えると、Ｒ２＝０．９４００、Ｐ＝０．０１９９と、血清亜鉛値の推定の精度が向上した。
【図１】
2020193852.tif 000006
【図２】
2020193852.tif 000007
【図３】
2020193852.tif 000008
【図４】
2020193852.tif 000009
【図５】
2020193852.tif 000010
【図６】
2020193852.tif 000011
【図７】
2020193852.tif 000012
【図８】
2020193852.tif 000013
【図９】
2020193852.tif 000014
【図１０】
2020193852.tif 000015
【図１１】
2020193852.tif 000016
【図１２】
2020193852.tif 000017
【図１３】
2020193852.tif 000018
【図１４】
2020193852.tif 000019
【図１５】
2020193852.tif 000020
【図１６】
2020193852.tif 000021
【図１７】
2020193852.tif 000022
【図１８】
2020193852.tif 000023
【図１９】
2020193852.tif 000024
【図２０】
2020193852.tif 000025